(57)【要約】【課題】手首装着型携帯電話機の備える要素をそれぞれ分離し、最小限必要なもののみを携帯部としてまとめて手首に装着可能にし、それ以外の要素を別体として構成することにより、デザイン上優れていて装着性がよいだけでなく、操作性もよい手首装着型携帯電話セットを提供することを課題とする。【解決手段】文字入力手段を含む据置き部Ｂと、据置き部Ｂと別体であって、据置き部Ｂの有する機能以外の携帯電話機の機能を備えた手首装着可能な携帯部Ａとから成り、携帯部Ａの表示パネル４に文字入力制御信号を据置き部Ｂの文字入力手段から送信可能に構成した。【選択図】　　　　図１
2004032716.tif 000002
【特許請求の範囲】
【請求項１】
文字入力手段を含む据置き部と、前記据置き部と別体であって、前記据置き部の有する機能以外の携帯電話機の機能を備えた手首装着可能な携帯部とから成り、前記携帯部の表示パネルに文字入力制御信号を前記据置き部の文字入力手段から送信可能に構成したことを特徴とする手首装着型携帯電話セット。
【請求項２】
前記携帯部に、前記表示パネルの他に、スピーカー、マイクロホン、操作スイッチの一部、及び充電式バッテリーを適宜配置にて含めて成る請求項１に記載の手首装着型携帯電話セット。
【請求項３】
前記表示パネルを、前記携帯部のハウジングに被装される上蓋の内面に配備した請求項１又は２に記載の手首装着型携帯電話セット。
【請求項４】
前記上蓋及び前記表示パネルを、一定の曲率を持って湾曲させた請求項３に記載の手首装着型携帯電話セット。
【請求項５】
前記携帯部が、手首に装着するためのバンドを備えた請求項１乃至４のいずれかに記載の手首装着型携帯電話セット。
【請求項６】
前記マイクロホンの内蔵部が前記バンドのロック手段を兼ねて構成される請求項５に記載の手首装着型携帯電話セット。
【請求項７】
前記ハウジングに接続されるスピーカーを、前記ハウジング又はバンドに着脱可能にした請求項３乃至６のいずれかに記載の手首装着型携帯電話セット。
【請求項８】
前記スピーカーが骨伝導スピーカーである請求項２乃至７のいずれかに記載の手首装着型携帯電話セット。
【請求項９】
前記骨伝導スピーカーを指先に装脱可能にした請求項８に記載の手首装着型携帯電話セット。
【請求項１０】
前記バッテリーを前記バンド内に装填した請求項２乃至９のいずれかに記載の手首装着型携帯電話セット。
【請求項１１】
前記据置き部に充電機能を持たせた請求項１に記載の手首装着型携帯電話セット。
【発明の詳細な説明】
【０００１】
【発明が属する技術分野】
本発明は、手首装着型携帯電話セットに関し、より詳細には、別体に設けられた文字入力装置に接続して文字情報を入力できるようにした手首装着型携帯電話セットに関するものである。
【０００２】
【従来の技術】
ユビキタス社会ではウエアラブルなハードウエアが要求される。携帯電話機も、かかってきた着信にすぐ対応できるよう、常に手の届く範囲に置いてあるのが理想である。
【０００３】
そこで、図６に示されるような、腕時計の如くして手首に装着する手首装着型の携帯電話機が提案されている。この手首装着型携帯電話機は、手首装着手段により手首に装着したまま通話するものである。
【０００４】
しかるに、図６に示される手首装着型携帯電話機の場合は、文字情報表示パネル２１が小さく、音声通話を行なうときの相手先電話番号の表示等には十分であるとしても、電子メール又は手首装着型携帯電話機を介してのインターネット情報の表示等には適さないという問題がある。
【０００５】
一方、図７に示される手首装着型携帯電話機の場合は、手首に沿って湾曲したハウジング２２の表面に、表示パネル２３及び複数個のボタン２４が設けられており、また、ハウジング２２内に、無線送受信回路部と共に、通話のためのマイクロホン及びスピーカーが内蔵されている。
【０００６】
このタイプの手首装着型携帯電話機は、図６に示されるのものに比較して表示パネルの面積が広く確保されるものの、表示パネル２３やボタン２４等がハウジングの表面の狭いスペースに集中して配置されるため、各ボタン２４間の間隔が狭く、且つ、各ボタンの幅寸法も小さいものとなるので、指先による正確なボタンの入力操作が難しく、携帯するペン等の先細の道具で各ボタンを操作する必要があり、操作しにくいという問題がある。
【０００７】
更に、これらの手首装着型携帯電話機のように、手首装着型携帯電話機の構成要素、即ち、表示パネル、バッテリー、携帯電話操作スイッチ、アンテナ、無線通信用電子デバイス、信号制御用電子デバイス等を一体に組み込むと、携帯電話機自体の構造が複雑且つ大きくなり、携帯電話として携帯性に支障があると共に、デザインの自由度も制限されてしまうという問題があった。
【０００８】
このことは、手首に違和感なく装着する上での寸法的制約により、ハウジングに無線送受信回路部、表示パネル、マイク、スピーカー、バッテリー等と共に電話番号並びに文字入力を行なうボタン等を設けることが事実上困難であり、仮に実現したとしても、操作性において満足できるものにはなり得ないことを意味する。
【０００９】
【発明が解決しようとする課題】
本発明は、従来の手首装着型携帯電話機におけるこのような問題点に鑑みてなされたもので、手首装着型携帯電話機の備える要素をそれぞれ分離し、最小限必要なもののみを携帯部としてまとめて手首に装着可能にし、それ以外の要素を別体として構成することにより、デザイン上優れていて装着性がよいだけでなく、操作性もよい手首装着型携帯電話セットを提供することを課題とする。
【００１０】
【課題を解決するための手段】
上記課題を解決するための本発明に係る手首装着型携帯電話セットは、文字入力手段を含む据置き部と、前記据置き部と別体であって、前記据置き部の有する機能以外の携帯電話機の機能を備えた手首装着可能な携帯部とから成り、前記携帯部の表示パネルに文字入力制御信号を前記据置き部の文字入力手段から送信可能に構成したことを特徴とするものである。
【００１１】
好ましくは、前記携帯部に、前記表示パネルの他に、スピーカー、マイクロホン、操作スイッチの一部、及び充電式バッテリーを適宜配置にて含め、前記表示パネルを、前記携帯部のハウジングに被装される上蓋の内面に配備し、前記上蓋及び表示パネルが、一定の曲率を持って湾曲したものとし、前記マイクロホンの内蔵部が前記バンドの開閉部を兼ねたものとし、前記ハウジングの音声出力部に接続されるスピーカーを、前記ハウジング又はバンドに着脱可能にし、前記スピーカーを骨伝導スピーカーとし、前記骨伝導スピーカーを指先に装脱可能にし、前記バッテリーを前記バンド内に装填し、更に、前記据置き部に充電機能を持たせる。
【００１２】
【発明の実施の形態】
本発明の実施の形態を添付図面に依拠して説明する。本発明に係る手首装着型携帯電話セットは、送受話に最小限必要と考えられる要素をまとめた携帯部Ａと、それ以外の要素をまとめた別体の据置き部Ｂとから成り、据置き部Ｂに含まれる文字入力部から文字を入力することができるようにしたものである。文字入力時に携帯部Ａを、別体の据置き部Ｂの文字入力装置に接続することで、文字入力装置側の文字入力ボタンによって文字の入力操作を行なうことができる。
【００１３】
図１は、本発明に係る手首装着型携帯電話セットの構成例を示す斜視図、図２及び図３は、図１に示す手首装着型携帯電話セットのうち、手首に装着する携帯部Ａの構成を示す斜視図、図４は、図１に示す手首装着型携帯電話セットのうち、文字入力部を含む据置き部Ｂの構成例を示す斜視図、図５は、文字入力部の別の実施形態を示す斜視図である。
【００１４】
携帯部Ａは、大別すると、ハウジング１と輪状又は帯状のバンド２とで構成され、携帯部Ａは、バンド２を介して手首に装着される。ハウジング１は、通例、腕時計のバンドに一般的に用いられているような、金属又はプラスチック等の加工・成形可能な素材製で、薄手でほぼ長方形の筐体状に形成される。特に、マグネシウム合金製とした場合には、メタリックの持つ高級感や、軽くて強い、放熱性が良い、電磁シールド性が向上する等の効果を期待できる。また、ハウジング１は、好ましくは、手首に沿うように、一定の曲率を持って内側に湾曲したものとする。
【００１５】
バンド２は、それを手首に着脱可能にするために、時計バンド等に採用されているロック手段を有するバックル５又は留金を備えるが、このバックル５部分に中空部を設け、そこにマイクロホンを内蔵するように構成することもできる。
【００１６】
バックル５は、通例バンド２上のハウジング１と対向する位置に配置され、手首装着に際してそのロック手段を解除してバンド２の両端部を拡げ、手首挿入後そのロック手段をロックしてバンド２を締めることにより、手首から脱落しないようにする。バックル５部分に、マイクロホンを内蔵する場合、マイクロホンはその外側面側に配置することが好ましい。
【００１７】
ハウジング１の上面の一側辺（通例、短辺側側辺）には、ヒンジを介して開閉可能に上蓋７が取り付けられ、その内面に表示パネル４が配置される。上蓋７も、ハウジング１と同様に、一定の曲率を持って湾曲する形状にすることが好ましい。表示パネル４としては、特に、有機ＥＬパネルを用いることが好ましい。その場合には、バックライトが不要で薄型化が容易となり、視野角に制限がなく、真横近くから見ても画質が殆ど変わらないという利点がある。
【００１８】
また、ハウジング１の表面には、手首装着型携帯電話操作スイッチのうち、携帯部Ａを携帯時に操作するのに最低限必要なスイッチ３が配設される。各スイッチ３は、手動操作によって入力信号を与えるスイッチで、タクトスイッチ、ライトタッチスイッチ等を使用する。そして、タクトスイッチ、ライトタッチスイッチ等を使用する場合には、ボタンの裏側から光をあてる照光式とすることが好ましい。
【００１９】
スイッチ３は、形状も機能も様々であるが、例えば、三角形状や楕円形状に突出形成され、指先で容易に押圧操作できる程度の比較的大きめな上下左右の矢印ボタン及び決定ボタンで構成され、矢印ボタンと決定ボタンとの組み合わせによって、アドレス帳の登録、アドレス帳からの通話、ダイヤルロック、フックオフ、フックオン、リダイアル、マナーモードの設定や解除、及びその他通常の手首装着型携帯電話が装備する機能を具備させる。
【００２０】
ハウジング１内には、図示してないが、デジタル信号処理に機能を特化した専用プロセッサー、ＤＳＰ、液晶ドライバーＩＣ、フラッシュメモリー、水晶デバイス、積層チップコンデンサー、チップ抵抗器、積層チップインダクター、小型アイソレーター、高周波フィルター、コネクター、ビルドアップ多層プリント配線板、テープキャリアパッケージ、スイッチング電源、メモリーバックアップ用補助電源、小型モーター等の電子部品が収納されており、更にアンテナが組み込まれることが多い。
【００２１】
専用プロセッサーには、スイッチ３、音声認識回路、液晶ディスプレイ等の表示パネル４がそれぞれ接続される。専用プロセッサーは、これらの各スイッチ３が押圧操作されるか、もしくは、マイクロホン内蔵部に配置されたマイクロホンからの音声指令を受けた場合には、その操作指示を解析する。そして、専用プロセッサーからの指示に基づく無線送受信回路部からの出力により、表示パネル４に、電源オンの表示、ダイアル表示、通話表示、保留表示及びその他の手首装着型携帯電話としての必要な情報が、操作された各スイッチ３に対応して表示される。
【００２２】
なお、ハウジング１には、スピーカーとしての骨伝導型スピーカー８がリード線９を介して接続される。スピーカー方式は、通常の音圧型イヤホンでも可能であるが、その場合は、電話の着信の度にイヤホンを装着しなければならず、また、形状的にもデザインに馴染まない。そこで、本発明においては、好ましくは、骨伝導型スピーカーを採用することとする。そのようにした場合、骨伝導型スピーカーのケーシング形状を本体デザインに合わせたものとすることにより、一層、ファッション性の高い製品とすることが可能となる。
【００２３】
この場合、着信時に骨伝導型スピーカー８を指で持つか、あるいは、そのスピーカー振動面の裏側に指輪型保持具を配置してそれを指先に装着し、骨伝導スピーカー８をこめかみ周辺部に軽く押し当てることにより、周囲騒音の大きい場所においても通話音声を明瞭に聞くことが可能となり、且つ、端から見ても自然な使用姿態となる。
【００２４】
ハウジング１と骨伝導スピーカー８との接続は、リード線により直結する方法の他に、赤外線その他の無線方式によることも考えられる。いずれの場合も、骨伝導スピーカー８は、ハウジング１又はバンド２に着脱可能に取り付けられる。
【００２５】
なお、上蓋７は多様なデザイン形状とすることが可能であるが、手首に自然に装着するためには、上述したように、一定の曲率をもって内側に湾曲していることが好ましく、その場合、表示パネルの表示素子としても、柔軟性を有するものが用いられる。
【００２６】
携帯部Ａと別体に構成される据置き部Ｂは、卓上等に載置するに適した任意の形状とされ、ハウジング１のスイッチ３に接続される文字入力部１１を含む。この文字入力部１１には、数字及びアルファベットの入力スイッチ１２が配備され、文字入力部１１をハウジング１に接続することにより、電話番号等のメモリー情報の書き込み及びメールの文字入力等を行なうことが可能となる。
【００２７】
携帯部Ａのバッテリーの充電には、据置き部Ｂとは別体の充電器を使用してもよいが、据置き部Ｂに充電機能を持たせることもできる。図４はそのような機能を有する据置き部Ｂの構成例を示すもので、図示してないが、そのベース１３の上面に、充電端子が配備される。
【００２８】
この据置き部Ｂには、本手首装着型携帯電話機を、固定電話機として使用することを可能にするための入力スイッチ１２が配備され、バッテリーの充電中においても発信及び着信が可能となるようにする。更に、入力スイッチ１２を用いて、ハウジング１のメモリー情報の書き込み及びメールの文字入力を行なうことが可能となる。
【００２９】
なお、文字入力部１１は、上述した冷におけるようなスタンドタイプとすることなく、テンキーパッドの如く構成し、入力操作の際にこれを携帯部Ａに接続するようにしてもよい（図５参照）。
【００３０】
次に、本発明に係る手首装着型携帯電話セットの使用方法を説明する。本手首装着型携帯電話セットは、例えば、外出時に携帯部Ａを、ハウジング１が使用者の左手首の外面側にくるように装着する。このようにハウジング１を装着した場合には、バンド２に取り付けられたマイクロホンを内蔵したバックル５は、使用者の手首の内面側に位置することとなる。
【００３１】
そして、通常時においては、ハウジング１の上蓋７に設けた表示パネル４には、一般の手首装着型携帯電話機と同じような内容の表示（待受画面）がなされる（表示パネル４は、上蓋７を開いた状態（図３）で見る）。
【００３２】
電話をかける場合には、先ず、上蓋７を開き、音声認識回路をオンにする。続いてハウジング１又はバンド２に配備された骨伝導型スピーカー８を取り外して指先に装着し、例えばバンド２のバックル５部分に内蔵したマイクロホンからの音声指令により、メモリーに保存された発信先の電話番号を呼び出し、音声指令によって通話接続を開始することにより、通常モードから電話モードに変換させる。その際、表示パネル４には、例えば通常表示に変わって、相手先のダイアル番号、通話表示等の必要な情報が表示される。
【００３３】
この状態で相手方が呼び出されると、携帯部Ａを装着した腕を不自然に曲げることなく、マイクロホンを口の近くに、且つ、骨伝導スピーカー８をこめかみ周辺部に軽く押し当てて、ごく自然な姿態で通話することができる。
【００３４】
通話終了時には、上蓋７を閉じることにより、通話状態を解除して待機状態にするか、又は、音声指令により解除する。最後に、骨伝導スピーカー８を着脱部に戻す。
【００３５】
また、着信時には、例えば、ハウジング１に配置された振動ブザーにより着信を知る。次に、上蓋７を開き、着信電話番号を確認する。上蓋７を開くことにより、ハウジング１の音声認識回路がオンとなる。次いで、ハウジング１又はバンド２に配置された骨伝導スピーカー８を取り外して指先に装着する。そして、音声指令により、通話接続を開始する。
【００３６】
次に、骨伝導スピーカー８をこめかみ周辺部に軽く押し当てて通話音声を聞く。その際、自然な状態で手首の内側が口元付近に来るので、バンド２のバックル５部分に内蔵したマイクロホンから音声をピックアップさせ、相手方に伝達する。通話終了時には、上蓋７を閉じることにより、通話状態を解除して待機状態にするか、又は、音声指令により解除する。最後に、骨伝導スピーカー８を着脱部に戻す。
【００３７】
【発明の効果】
本発明は上述した通りであって、本発明に係る手首装着型携帯電話セットにおいては、表示パネルを、比較的広面積の上蓋内部の全面に配置することが可能になるため、音声通信にとどまらず、メール、インターネット等の文字・画像情報の通信に有効で、装飾性・操作性に優れた手首装着型携帯電話セットを提供することができる。
【００３８】
また、マイクロホン内蔵部を腕の内面側に位置させると共に、骨伝導スピーカーを採用することにより、通話時には、マイクロホンが口の近くに位置し、且つ、手のひらで口元を覆った状態になるため、周囲に迷惑をかけることなく小声での通話が可能となる効果がある。
【００３９】
更に、無線通信機能を有するハウジングとスピーカーを分離し、各々手首部と指先に分離配置して使用できるため、人体に有害とされる電波及び電磁波の脳への影響を軽微にできる利点がある。
【００４０】
更に、充電機能とキーパッドを備えた据置き部から電話機へ入力することを可能にしたため、自宅においては固定電話機として使用することもできる。
【図面の簡単な説明】
【図１】本発明に係る手首装着型携帯電話セットの合体状態を示す斜視図である。
【図２】本発明に係る手首装着型携帯電話セットの携帯部（閉蓋時）の構成例を示す斜視図である。
【図３】本発明に係る手首装着型携帯電話セットの携帯部（開蓋時）の構成例を示す斜視図である。
【図４】本発明に係る手首装着型携帯電話セットの据置き部の構成例を示す斜視図である。
【図５】本発明に係る手首装着型携帯電話セットにおける文字入力装置の別例を示す斜視図である。
【図６】従来の手首装着型携帯電話機の構成例を示す斜視図である。
【図７】従来の手首装着型携帯電話機の他の構成例を示す斜視図である。
【符号の説明】
１　　ハウジング
２　　バンド
３　　スイッチ
４　　表示パネル
５　　バックル
７　　上蓋
８　　骨伝導スピーカー
９　　リード線
１１　文字入力部
１２　入力スイッチ
Ａ　　携帯部
Ｂ　　据置き部
【図１】
2004032716.tif 000003
【図２】
2004032716.tif 000004
【図３】
2004032716.tif 000005
【図４】
2004032716.tif 000006
【図５】
2004032716.tif 000007
【図６】
2004032716.tif 000008
【図７】
2004032716.tif 000009